(57)【要約】      （修正有）【課題】相手コネクタ装置を誤挿着することを防止できる電気コネクタを提供する。【解決手段】電気コネクタ１００は、絶縁本体２０と、該絶縁本体に装着された複数の導電端子と、前記絶縁本体の外周を被覆するシールドシェルと、前記シールドシェルをインサート成型により組合せた絶縁外被５０とを含む電気コネクタにおいて、前記絶縁外被には、外部に連通する少なくとも一つの開口溝５１０が形成される。【選択図】図１
0003162476.tif 000002
【実用新案登録請求の範囲】
【請求項１】
絶縁本体と、
前記絶縁本体に装着された複数の導電端子と、
前記絶縁本体の外周を被覆するシールドシェルと、
前記シールドシェルをインサート成型により組合した絶縁外被と、
を含む電気コネクタにおいて、
前記絶縁外被には、外部に連通する少なくとも一つの開口溝が形成されることを特徴とする電気コネクタ。
【請求項２】
前記絶縁外被には、対向するように配置される両主体壁を有して、前記開口溝は前記各主体壁にそれぞれ形成された第一開口溝と第二開口溝を含み、前記第一開口溝と第二開口溝は寸法が異なることを特徴とする請求項１に記載の電気コネクタ。
【請求項３】
前記シールドシェルは、互いに組合された第一シェルと第二シェルとを含み、前記第二シェルに前記第一開口溝の底壁を収容する凹部が形成され、
前記第一シェルは、相手コネクタに嵌合するための嵌合部を有し、前記嵌合部の前記第二シェルに連接する箇所には開口が形成されることを特徴とする請求項２に記載の電気コネクタ。
【請求項４】
前記絶縁本体は、前記シールドシェルの凹部に対応する箇所に前記凹部を収容する収容溝が窪んで形成されることを特徴とする請求項３に記載の電気コネクタ。
【請求項５】
前記絶縁本体の収容溝は、前記シールドシェルの嵌合部まで部分的に延出して、該収容溝と前記嵌合部との間に前記開口に連通する空間を形成することを特徴とする請求項４に記載の電気コネクタ。
【請求項６】
前記電気コネクタに嵌合する相手コネクタ装置は、前記電気コネクタに嵌合するソケットコネクタと、前記ソケットコネクタの外周から電気コネクタへ向けて延出する絶縁ケースとを含み、前記絶縁ケースには前記開口溝に収容される凸状リブが形成されることを特徴とする請求項１に記載の電気コネクタ。
【考案の詳細な説明】
【技術分野】
【０００１】
本考案は、電気コネクタに関して、特に、誤挿着を防止でき、ＵＳＢ規格に適合する電気コネクタに関する。
【背景技術】
【０００２】
従来技術のＵＳＢ規格による電気コネクタは、特許文献１に示すように、一般に、複数の導電端子が装着される絶縁本体と、該絶縁本体を被覆するためのシールドケースと、シールドケースの外部をインサート成型により保持する絶縁外被と、を含む。前記絶縁本体は舌片が設けられ、導電端子は前記舌片に露出する接触部を有する。そのシールドケースはケース状を呈し、相手コネクタに嵌合するための収容空間が形成される。
【先行技術文献】
【特許文献】
【０００３】
【特許文献１】米国特許公告第７１０３７１２０号明細書
【考案の概要】
【考案が解決しようとする課題】
【０００４】
この業界では、電気コネクタの小型化に従って、電気コネクタの体積が小さくなり、前記絶縁本体の舌片の強さが弱くなる。電気コネクタが相手コネクタに嵌合するときに、使用者が電気コネクタの正負側を識別し難く、こうして、電気コネクタを繰り返し相手コネクタに挿入し試すことが必要になり、絶縁本体の舌片がダメージを受ける恐れがあった。
【０００５】
本考案は、相手コネクタ装置を誤挿着することを防止できる電気コネクタを提供することを目的とする。
【課題を解決するための手段】
【０００６】
本考案の電気コネクタは、絶縁本体と、前記絶縁本体に装着された複数の導電端子と、前記絶縁本体の外周を被覆するシールドシェルと、前記シールドシェルをインサート成型により組合した絶縁外被と、を含む電気コネクタにおいて、前記絶縁外被には、外部に連通する少なくとも一つの開口溝が形成されることを特徴とする。
【考案の効果】
【０００７】
従来技術に比べ、本考案の電気コネクタは以下の利点を有し、前記絶縁外被に外部に連通する少なくとも一つの開口溝が形成されることで、相手コネクタ装置を誤挿着することを防止できる。
【図面の簡単な説明】
【０００８】
【図１】本考案に係る電気コネクタの組立斜視図である。
【図２】図１に示す電気コネクタをほかの角度から見た組立斜視図である。
【図３】本考案に係る電気コネクタの部分の分解斜視図である。
【図４】本考案に係る電気コネクタの分解斜視図である。
【図５】図４に示す電気コネクタをほかの角度から見た分解斜視図である。
【図６】図１に示すА−А線に沿った断面図である。
【考案を実施するための形態】
【０００９】
以下、図１〜図６を参照し、本考案の電気コネクタ１００の好ましい実施形態について、添付図面を参照して説明する。本考案の電気コネクタ１００は、回路基板に実装された相手コネクタ(図示せず)に嵌合でき、絶縁本体２０と、絶縁本体２０に装着された複数の導電端子（記号なし）と、前記絶縁本体２０を包囲するシールドケース３と、シールドケース３の外部がインサート形成された絶縁外被５０とを含む。
【００１０】
図３乃至図５を参照すると、絶縁本体２０は、相手コネクタに嵌合して前向きに延出する舌片２２と、ケーブル（図示せず）を支持するための支持部２４と、舌片２２と支持部２４を連接する階段部２３とを含む。舌片２２に導電端子を対応させて収容する端子溝２２０が窪んで形成され、該端子溝２２０が前記階段部２３と支持部２４を後向きに貫通し、導電端子は支持部２４でケーブルに半田付けするように接続している。絶縁本体２０の前記支持部２４と階段部２３に対応する底壁２１に収容溝２１０が形成される。
【００１１】
シールドシェル３は、金属板からなり、第一シェル３０と第二シェル４０とを含み、第一シェル３０は、嵌合部３１と嵌合部３１から後向きに延出する延出部３２とを含み、嵌合部３１が上下方向で封閉するように配置され、前記延出部３２の一側が開放するように配置され、前記絶縁本体２０の舌片２２が嵌合部３１に延出している。嵌合部３１の延出部３２の開放側と同じ側に位置する天板３１１には、延出部３２の開放側と連通する開口３１０が形成される。第二シェル４０は第一シェル３０の延出部３２に組合され、本体部４１と、本体部４１の後端に形成され、ケーブルに保持される保持部４２とを含み、本体部４１に絶縁本体２０の収容溝２１０に対応する凹部４１０が形成される。収容溝２１０の後端部が凹部４１０に対応し、収容溝２１０の先端部が前記天板３１１の下方に配置され、収容溝２１０と天板３１１の間に前記開口３１０に連通するスリットが形成される。
【００１２】
絶縁外被５０はインサート成型によりシールドシェル３に保持され、対向するように配置される幅広の両主体壁５１と、幅狭の両側壁５２とを含み、両主体壁５１と両側壁５２が前記シールドシェル３を収容する空間を構成する。絶縁外被５０の両主体壁５１の一方には、第二シェル４０の凹部４１０に対応する第一開口溝５１０が窪んで形成され、第一開口溝５１０の一端が外部に連通するように配置される。第一開口溝５１０の底壁５１１が前記凹部４１０に対応して収容されることで、底壁５１１の強度が補強され変形を防止できる。また、底壁５１１の先端が前記天板３１１と絶縁本体２０の収容溝２１０の間の空間に挿入される突出部５３が延出するように形成され、該突出部５３の底壁５１１に連接する箇所に肉厚部５３１が形成され、肉厚部５３１により突出部５３と底壁５１１の連接する箇所の強度が増強できる。前記両主体壁５１の他方には前記第一開口溝５１０の寸法と異なる第二開口溝５１２が窪んで形成される。
【００１３】
電気コネクタ１００に嵌合する相手コネクタ装置は、電気コネクタ１００に嵌合するソケットコネクタと、ソケットコネクタの外周から電気コネクタ１００へ向けて延出する絶縁ケースとを含み、該絶縁ケースが電気コネクタ１００の絶縁外被５０を部分的に包囲し、また、前記絶縁外被５０の第一開口溝５１０と第二開口溝５１２に対応する箇所に、凸状リブがそれぞれ形成され、これによって、電気コネクタ１００の誤挿着を防止できる。
【００１４】
取付する時に、前記絶縁本体２０を第一シェル３０に収容して、第一シェル３０の開口３１０が絶縁本体２０の収容溝２１０の上方に位置して、第二シェル４０が第一シェル３０に組付けされ、最後に、絶縁外被５０が絶縁本体２０を組合したシールドシェル３にインサート成型により保持される。
【００１５】
本考案に係る電気コネクタ１００は、絶縁外被５０に形成された第一開口溝５１０と、第二開口溝５１２により相手コネクタ装置に誤挿着することを防止できる。
【００１６】
以上、本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００１７】
１００  電気コネクタ
２０  絶縁本体
２１０  収容溝
３  シールドシェル
３０  第一シェル
４０  第二シェル
４１０  凹部
５０  絶縁外被
５１０  第一開口溝
５１２  第二開口溝
【図１】
0003162476.tif 000003
【図２】
0003162476.tif 000004
【図３】
0003162476.tif 000005
【図４】
0003162476.tif 000006
【図５】
0003162476.tif 000007
【図６】
0003162476.tif 000008